(57)【要約】  【課題】  ユーザの操作性又は利便性を向上させたデータ処理システム及びデータ処理装置を提供する。  【解決手段】  データを記憶する記憶部を有する携帯端末（データ記憶装置）４０と、携帯端末４０とデータを送受信し、データに対して行う処理の選択を受付け、選択された処理をデータに対して行う複合機（データ処理装置）１とを備えるデータ処理システムにおいて、複合機１の制御部８により、携帯端末４０の動作状態又は前記記憶部の使用状態を判別し、判別した動作状態又は使用状態に基づいて、データに対して行う処理を仮選択する。【選択図】      図１
2006072537.tif 000002
【特許請求の範囲】
【請求項１】
データを記憶する記憶部を有するデータ記憶装置と、該データ記憶装置とデータを送受信し、データに対して行う処理の選択を受付け、選択された処理をデータに対して行うデータ処理装置とを備えるデータ処理システムにおいて、
前記データ処理装置は、
前記データ記憶装置の動作状態又は前記記憶部の使用状態を判別する判別手段と、
該判別手段が判別した動作状態又は使用状態に基づいて、データに対して行う処理を仮選択する仮選択手段と
を備え、データに対して行う処理の選択を受付けていない場合、仮選択した処理に関係する処理を行うように構成してあることを特徴とするデータ処理システム。
【請求項２】
前記判別手段は、前記記憶部の使用状態を判別する場合、記憶部に記憶されているデータの種類を判別するように構成してあることを特徴とする請求項１記載のデータ処理システム。
【請求項３】
前記仮選択手段は、前記判別手段が判別した動作状態又は使用状態に基づいて、前記データ記憶装置から受信したデータに対して処理を行う受信データ処理、又は、データに対して処理を行った後に前記データ記憶装置へ送信する送信データ処理を仮選択するように構成してあることを特徴とする請求項１又は２記載のデータ処理システム。
【請求項４】
前記仮選択手段は、前記データ記憶装置からデータを受信した場合、受信データ処理を仮選択するように構成してあることを特徴とする請求項３記載のデータ処理システム。
【請求項５】
前記仮選択手段は、受信データ処理を仮選択した後、所定時間以内に前記データ記憶装置からデータを受信しない場合、受信データ処理に代えて送信データ処理を仮選択するように構成してあることを特徴とする請求項３又は４記載のデータ処理システム。
【請求項６】
原稿を読取り、画像を含むデータを作成する読取手段と、
該読取手段が読取る原稿の有無を検出する検出手段と
を備え、前記仮選択手段は、受信データ処理を仮選択した後に検出手段が原稿を検出した場合、受信データ処理に代えて送信データ処理を仮選択するように構成してあることを特徴とする請求項３乃至５の何れかひとつに記載のデータ処理システム。
【請求項７】
データに基づく画像をシートに形成する画像形成手段を備え、前記受信データ処理は、受信したデータに基づく画像のシートへの形成処理を含むことを特徴とする請求項３乃至６の何れかひとつに記載のデータ処理システム。
【請求項８】
データを記憶する記憶部を有するデータ記憶装置とデータを送受信し、データに対して行う処理の選択を受付け、選択された処理をデータに対して行うデータ処理装置において、
前記データ記憶装置の動作状態又は前記記憶部の使用状態を判別する判別手段と、
該判別手段が判別した動作状態又は使用状態に基づいて、データに対して行う処理を仮選択する仮選択手段と
を備え、データに対して行う処理の選択を受付けていない場合、仮選択した処理に関係する処理を行うように構成してあることを特徴とするデータ処理装置。
【発明の詳細な説明】
【技術分野】
【０００１】
本発明は、データを記憶する記憶部を有するデータ記憶装置と、該データ記憶装置とデータを送受信し、データに行う処理の選択を受付け、選択された処理をデータに対して行うデータ処理装置とを備えるデータ処理システム、及び、データを記憶する記憶部を有するデータ記憶装置とデータを送受信し、データに行う処理の選択を受付け、選択された処理をデータに対して行うデータ処理装置に関する。
【背景技術】
【０００２】
データの処理を行うデータ処理装置として、画像データの処理を行う画像処理装置がある。例えば複写機、プリンタ、ファクシミリ、複合機などがある。また、外部に設けられた外部装置との間でデータ通信を行うことにより、外部装置から送信されたプリントデータのプリント処理を行う画像処理装置もある（例えば、特許文献１参照）。
【０００３】
近年の画像処理装置においては、複写機及びプリンタなどの複数の機能を備えた複合機が増えてきている。複合機の場合は、１台で複写機及びプリンタなどの複数の機能を実現できるため、装置を設置するスペース、及び、装置のトータルコストを減少することができる。
【特許文献１】特開平９−１９３５０９号公報
【発明の開示】
【発明が解決しようとする課題】
【０００４】
しかし、複合機の場合、１台で複写機及びプリンタなどの複数の機能を実現できる反面、例えば複写モード又はプリンタモードなどを選択する手間が生じるため、ユーザの操作性又は利便性が低下するという問題がある。
【０００５】
本発明は斯かる事情に鑑みてなされたものであり、データ記憶装置の動作状態又は記憶部の使用状態を判別する判別手段と、該判別手段が判別した動作状態又は使用状態に基づいて、データに行う処理を仮選択する仮選択手段とを備えることにより、選択を受付ける可能性の高い処理を仮選択して予め準備しておくことができ、ユーザの操作性又は利便性を向上させたデータ処理システム及びデータ処理装置を提供することを目的とする。
【０００６】
また、本発明は、データ記憶装置の記憶部の使用状態を判別する場合、記憶部に記憶されているデータの種類を判別するように構成したことにより、選択を受付ける可能性の高い処理を仮選択して予め準備しておくことができ、ユーザの操作性又は利便性を向上させたデータ処理システムを提供することを他の目的とする。
【０００７】
また、本発明は、判別手段が判別した動作状態又は使用状態に基づいて、データに処理を行ってデータ記憶装置へ送信する送信データ処理、又は、データ記憶装置から受信したデータに処理を行う受信データ処理を仮選択するように構成したことにより、選択を受付ける可能性の高い処理を仮選択して予め準備しておくことができ、ユーザの操作性又は利便性を向上させたデータ処理システムを提供することを他の目的とする。
【０００８】
また、本発明は、データ記憶装置からデータを受信した場合、受信データ処理を仮選択するように構成したことにより、選択を受付ける可能性の高い処理を仮選択して予め準備しておくことができ、ユーザの操作性又は利便性を向上させたデータ処理システムを提供することを他の目的とする。
【０００９】
また、本発明は、受信データ処理を仮選択した後、所定時間以内にデータ記憶装置からデータを受信しない場合、受信データ処理に代えて送信データ処理を仮選択するように構成したことにより、選択を受付ける可能性の高い処理を仮選択して予め準備しておくことができ、ユーザの操作性又は利便性を向上させたデータ処理システムを提供することを他の目的とする。
【００１０】
また、本発明は、受信データ処理を仮選択した後に検出手段が原稿を検出した場合、受信データ処理に代えて送信データ処理を仮選択するように構成したことにより、選択を受付ける可能性の高い処理を仮選択して予め準備しておくことができ、ユーザの操作性又は利便性を向上させたデータ処理システムを提供することを他の目的とする。
【００１１】
また、本発明は、データに基づく画像をシートに形成する画像形成手段を備えることにより、データ処理装置が、原稿を読取った画像をシートに形成する複写機、受信した画像をシートに形成するファクシミリ機又はプリンタなどの画像処理装置として動作することができるデータ処理システムを提供することを他の目的とする。
【課題を解決するための手段】
【００１２】
本発明に係るデータ処理システムは、データを記憶する記憶部を有するデータ記憶装置と、該データ記憶装置とデータを送受信し、データに対して行う処理の選択を受付け、選択された処理をデータに対して行うデータ処理装置とを備えるデータ処理システムにおいて、前記データ処理装置は、前記データ記憶装置の動作状態又は前記記憶部の使用状態を判別する判別手段と、該判別手段が判別した動作状態又は使用状態に基づいて、データに対して行う処理を仮選択する仮選択手段とを備え、データに対して行う処理の選択を受付けていない場合、仮選択した処理に関係する処理を行うように構成してあることを特徴とする。
【００１３】
本発明に係るデータ処理システムは、前記判別手段は、前記記憶部の使用状態を判別する場合、記憶部に記憶されているデータの種類を判別するように構成してあることを特徴とする。
【００１４】
本発明に係るデータ処理システムは、前記仮選択手段は、前記判別手段が判別した動作状態又は使用状態に基づいて、前記データ記憶装置から受信したデータに対して処理を行う受信データ処理、又は、データに対して処理を行った後に前記データ記憶装置へ送信する送信データ処理を仮選択するように構成してあることを特徴とする。
【００１５】
本発明に係るデータ処理システムは、前記仮選択手段は、前記データ記憶装置からデータを受信した場合、受信データ処理を仮選択するように構成してあることを特徴とする。
【００１６】
本発明に係るデータ処理システムは、前記仮選択手段は、受信データ処理を仮選択した後、所定時間以内に前記データ記憶装置からデータを受信しない場合、受信データ処理に代えて送信データ処理を仮選択するように構成してあることを特徴とする。
【００１７】
本発明に係るデータ処理システムは、原稿を読取り、画像を含むデータを作成する読取手段と、該読取手段が読取る原稿の有無を検出する検出手段とを備え、前記仮選択手段は、受信データ処理を仮選択した後に検出手段が原稿を検出した場合、受信データ処理に代えて送信データ処理を仮選択するように構成してあることを特徴とする。
【００１８】
本発明に係るデータ処理システムは、データに基づく画像をシートに形成する画像形成手段を備え、前記受信データ処理は、受信したデータに基づく画像のシートへの形成処理を含むことを特徴とする。
【００１９】
本発明に係るデータ処理装置は、データを記憶する記憶部を有するデータ記憶装置とデータを送受信し、データに対して行う処理の選択を受付け、選択された処理をデータに対して行うデータ処理装置において、前記データ記憶装置の動作状態又は前記記憶部の使用状態を判別する判別手段と、該判別手段が判別した動作状態又は使用状態に基づいて、データに対して行う処理を仮選択する仮選択手段とを備え、データに対して行う処理の選択を受付けていない場合、仮選択した処理に関係する処理を行うように構成してあることを特徴とする。
【００２０】
本発明においては、データ処理装置は、データ記憶装置の動作状態又はデータ記憶装置の記憶部の使用状態を判別手段で判別し、判別した動作状態又は使用状態に基づいて、データに行う処理を仮選択手段で仮選択する。例えば、データ記憶装置が他の装置と通信を行っている場合、データ処理装置と通信を行えないため、仮選択手段は通信とは無関係の処理を仮選択することが可能である。そして、データ処理装置は、データに対して行う処理の選択を受付けていない場合、仮選択した処理の準備など、仮選択した処理に関係する処理を行う。データ記憶装置の動作状態又は記憶部の使用状態に応じて、選択を受付ける可能性の高い処理を仮選択して予め準備しておくことができ、ユーザの操作性又は利便性などが向上する。
【００２１】
本発明においては、データ記憶装置の記憶部の使用状態を判別手段で判別する場合、記憶部に記憶されているデータの種類を判別する。例えば、データ記憶装置の記憶部に記憶されているデータの中に、データ処理装置で処理可能なデータがある場合、処理可能なデータがデータ記憶装置からデータ処理装置に送られてくる可能性が高いため、仮選択手段は、処理可能なデータに対する処理を仮選択することが可能である。データ記憶装置の記憶部に記憶されているデータの種類に応じて、選択を受付ける可能性の高い処理を仮選択して予め準備しておくことができ、ユーザの操作性又は利便性などが向上する。
【００２２】
本発明においては、判別手段が判別した動作状態又は使用状態に基づいて、データ記憶装置から受信したデータに処理を行う受信データ処理、又は、データに処理を行ってデータ記憶装置へ送信する送信データ処理を仮選択手段で仮選択する。例えば、データ記憶装置の記憶部の空き容量が少ない場合、データ処理装置からデータ記憶装置へデータを送信する可能性は低いため、仮選択手段は受信データ処理を選択することが可能である。選択を受付ける可能性の高い処理を仮選択して予め準備しておくことができ、ユーザの操作性又は利便性などが向上する。
【００２３】
本発明においては、データ記憶装置からデータを受信した場合、仮選択手段は受信データ処理を仮選択する。データ記憶装置からデータを受信した場合、受信したデータの処理を行う可能性が非常に高い。そして、この場合、受信データ処理を仮選択しており、受信したデータの処理の準備が整えられているため、受信したデータの処理をすぐに開始することができ、ユーザの操作性又は利便性などが向上する。
【００２４】
本発明においては、受信データ処理を仮選択した後、所定時間以内に前記データ記憶装置からデータを受信しない場合、仮選択手段により、受信データ処理に代えて送信データ処理を仮選択する。例えば、データ記憶装置の記憶部に処理可能なデータが記憶されているために受信データ処理を仮選択したが、所定時間経過後もデータ記憶装置からデータが送信されてこない場合、送信データ処理が選択される可能性が高い。そして、この場合、送信データ処理を仮選択しており、送信データ処理の実行準備が整えられているため、送信データ処理を行う場合はすぐに処理を開始することができ、ユーザの操作性又は利便性などが向上する。
【００２５】
本発明においては、受信データ処理を仮選択した後に、読取手段が読取る原稿を検出手段が検出した場合、仮選択手段により、受信データ処理に代えて送信データ処理を仮選択する。読取手段が読取る原稿が検出された場合、読取手段が原稿を読取って作成した画像を含むデータを、データ処理装置からデータ記憶装置へ送信するネットワークスキャンを行う可能性が高い。そして、この場合、ネットワークスキャン（送信データ処理）を仮選択しており、ネットワークスキャンの実行準備が整えられているため、ネットワークスキャンを行う場合はすぐに処理を開始することができ、ユーザの操作性又は利便性などが向上する。
【００２６】
本発明においては、データに基づく画像をシートに形成する画像形成手段を備え、受信データ処理として、受信したデータに基づく画像のシートへの形成処理を行う。そのため、データ処理装置は、原稿を読取った画像をシートに形成する複写機、受信した画像をシートに形成するファクシミリ機又はプリンタなどの画像処理装置として動作できる。画像データは、原稿の画像を読取るイメージスキャナなどの画像読取装置から受付けたり、ＬＡＮ（Local Area Network）などを介して接続されたコンピュータから受付けることが可能である。
【発明の効果】
【００２７】
本発明によれば、選択を受付ける可能性の高い処理を仮選択して予め準備しておくことができ、ユーザの操作性又は利便性などが向上する。
【００２８】
本発明によれば、データ処理装置を、原稿を読取った画像をシートに形成する複写機、受信した画像をシートに形成するファクシミリ機又はプリンタなどの画像処理装置として動作することができる。
【発明を実施するための最良の形態】
【００２９】
以下、本発明をその実施の形態を示す図面に基づいて具体的に説明する。図１は、本発明に係る複合機（データ処理装置）を含む通信ネットワーク（データ処理システム）の構成例を示すブロック図である。通信ネットワークは、例えば社内ＬＡＮ（Local Area Network）などの内部ネットワークＮ１と、例えばインターネットなどの外部ネットワークＮ２とを含む。内部ネットワークＮ１には、複合機１及びパーソナルコンピュータ（以下、パソコンという）３２が接続されている。外部ネットワークＮ２には、インターネットファックス機（以下、ｉＦＡＸ機）３４及びパソコン３２が接続されている。
【００３０】
複合機１は、原稿の画像を読取ってシート（記録紙）にプリント（画像形成）するコピー機能、外部から受信した画像データをシートにプリントするプリンタ機能、外部へ画像データを送信するネットワークスキャナ機能、及び、外部のファクシミリ装置との間でファクシミリデータを送受信するファクシミリ機能などを有する。また、複合機１は、読取った画像データ又は受信した画像データをハードディスクドライブ（以下、ハードディスクという）などの記録媒体に記憶する機能を有し、記憶した画像データをシートにプリントしたり、外部へ送信することが可能である。
【００３１】
複合機１は、原稿の画像を読み取る画像読み取り部２と、入力部４ａ及び表示部４ｂを有する操作部４と、ハードディスク１２と、シートに画像を形成する画像形成部６と、ハードディスク１２に記憶されているデータを無効化する消去部１６と、内部ネットワークＮ１及び外部ネットワークＮ２との通信制御を行う通信部１０と、対向する携帯端末４０との通信制御を行うＩ／Ｆ（インタフェイス）部１１と、制御プログラム及び設定情報などを記憶する管理部１４と、制御プログラム及び設定情報に従って前記各構成部２，４，６，１０，１１，１２，１４，１６を制御する制御部８とを備える。
【００３２】
管理部１４は、制御部８に接続されており、制御部８が実行する制御プログラムを格納したＲＯＭ（Read Only Memory）、及び、装置１の各構成部の動作に関する設定情報等を記憶するためのＲＡＭ等からなる。ただし、前記ＲＡＭは、フラッシュメモリ，ＥＥＰＲＯＭ（Electrically Erasable Programmable ROM）等の書換え可能な不揮発性の記憶媒体であってもよい。
【００３３】
制御部８は、例えばＣＰＵ（Central Processing Unit)を有し、管理部１４に格納されている制御プログラム及び設定情報に従って、画像読み取り部２、操作パネル４、画像形成部６、通信部１０、Ｉ／Ｆ部１１、ハードディスク１２、及び消去部１６などの複合機１の各構成部の動作を制御する。
【００３４】
操作部４の入力部４ａは、表示部４ｂに隣接して配置されたキー群を有する。例えば、コピーのスタートなどを指示するためのスタートキー、実行中の処理の中止を指示するためのキャンセルキー、コピー枚数などを指示するためのテンキー、装置の動作モードを切換えるモード切換キー（コピーモードキー、プリンタモードキー、スキャンモードキー、ファックスモードキー）などを備える。入力部４ａは制御部８と接続されており、各キーに対する操作信号などを制御部８に与える。
【００３５】
操作部４の表示部４ｂは、ドットマトリックスタイプの液晶パネルを有し、利用者に対して必要な情報の表示を行う。液晶パネルの画面上には、透明なタッチパネルが設けられており、液晶パネル上に表示される情報に従ってタッチパネルを操作することにより、各種指示を入力することが可能であり、液晶パネルは入力部４ａの一部として機能する。表示部４ｂは制御部８に接続されており、制御部８から表示制御信号を受取ったり、タッチパネルに対する操作信号を制御部８に与える。
【００３６】
画像形成部６は、画像読み取り部２及びハードディスク１２と接続され、また、制御部８を介して通信部１０及びＩ／Ｆ部１１と接続されている。画像形成部６は、画像データを記憶するＤＲＡＭ（Dynamic Random Access Memory）等のメモリ６ａと、メモリ６ａから受取った画像データに基づく画像をシートに形成する印字部（LSU:Laser Scanning Unit、画像形成手段)６ｂと、メモリ６ａからハードディスク１２に転送する画像データを暗号化する暗号化部６ｃと、ハードディスク１２からメモリ６ａに転送する暗号化された画像データを復号化する復号化部６ｄとを有する。メモリ６ａには、制御部８の制御により、画像読み取り部２から受取った画像データと、ハードディスク１２、通信部１０、及びＩ／Ｆ部１１から夫々受取った画像データが記憶される。また、メモリ６ａに記憶されている画像データを、制御部８の制御により、ハードディスク１２、通信部１０、及びＩ／Ｆ部１１に送ることも可能である。なお、本実施の形態では印字部６ｂはＬＳＵ（レーザ走査ユニット）で構成してあるが、インクジェット方式などのプリンタ装置であってもよい。
【００３７】
画像読み取り部２は、画像形成部６に接続されており、たとえばＣＣＤ（Charge Coupled Device)２ａなどの光学的な画像読み取り手段によって原稿の画像を読み取る。制御部８の制御によって、画像読み取り部２が読み取った原稿の画像データはメモリ６ａにページ単位（原稿１枚単位）で記憶されると共に、読み取った原稿の枚数（ページ数）は管理部１４に記憶される。また、画像読み取り部２は、読取原稿の検出信号を制御部８へ送る原稿センサ２ｂを備える。
【００３８】
通信部１０は、制御部８に接続されると共に、内部ネットワークＮ１及び外部ネットワークＮ２のパソコン３２などと例えばＬＡＮケーブルなどで接続されており、前記外部装置との間でデータ通信を行い、例えば画像データを送受信する。
【００３９】
Ｉ／Ｆ部１１は、制御部８に接続されており、携帯電話などの携帯端末４０と赤外線通信などの光通信を行う。赤外線通信を行うためには、複合機１のＩ／Ｆ部１１と携帯端末４０が備える後述するＩ／Ｆ部とは、対向させる必要がある。なお、複合機１の通信部１０と内部ネットワークＮ１のパソコン３２とは有線接続又は電波を用いた広範囲の無線通信を行うため、対向させる必要は特にない。
【００４０】
ハードディスク１２は、画像形成部６及び制御部８に接続され、画像読み取り部２、通信部１０又はＩ／Ｆ部１１から入力されて画像形成部６でプリント（画像形成）される画像データ、及び、通信部１０又はＩ／Ｆ部１１から外部へ送信される画像データが記憶される。
【００４１】
消去部１６は、ハードディスク１２及び制御部８に接続され、ハードディスク１２に記憶した画像データのプリント又は送信が完了して消去可能になった場合、制御部８の制御により、消去可能になった画像データをランダムデータなどで上書して無効化する。従って、本発明の複合機１においては、画像データのセキュリティが確保される。なお、メモリ６ａ及びハードディスク１２には、画像データ以外の各種データも記憶することが可能である。
【００４２】
制御部８は、操作部４の入力部４ａ又は表示部４ｂへの操作に従って、前記各構成部を制御して画像処理を実行すると共に、表示部４ｂに複合機１の状態に関する情報及びユーザに通知すべき情報等を出力する。また、制御部８は、画像読み取り部２からの画像データの入力制御、及び、通信部１０又はＩ／Ｆ部１１を介しての外部からの画像データの入力制御、入力された画像データのメモリ６ａ及びハードディスク１２への入出力制御、画像形成部６、通信部１０又はＩ／Ｆ部１１からの画像データの出力制御等を行う。
【００４３】
操作部４でコピーモードの選択を受付けるなどして、複合機１を複写機として動作させる場合、制御部８の制御によって、画像読み取り部２にセットされた原稿を電子的に読み取り、読み取った画像データをメモリ６ａに記憶した後、ハードディスク１２に記憶する。原稿が複数ある場合は、同様の処理を繰り返す。その後、制御部８の制御によって、ハードディスク１２に記憶した画像データが適切なタイミングで順次メモリ６ａに送られ、印字部６ｂの印字タイミングに合わせて画像データがメモリ６ａから印字部６ｂへと送られ、プリントが行われる。画像データを複数部印字する場合は、出力部数の分だけ画像データが繰り返し印字部６ｂへ送られる。
【００４４】
通信部１０又はＩ／Ｆ部１１でプリント対象のデータを受付けるなどして、複合機１をプリンタとして動作させる場合、例えば内部ネットワークＮ１に接続されたパソコン３２から送信された画像データは通信部１０で受信され、制御部８の制御によって、メモリ６ａに送られてページ単位で記憶された後、ハードディスク１２に記憶される。その後、制御部８の制御によって、ハードディスク１２に記憶された画像データはメモリ６ａに送られ、上述した複写機として使用する場合と同様にして、印字部６ｂに送られ、プリントが行われる。
【００４５】
操作部４でスキャンモードの選択を受付けるなどして、複合機１をネットワークスキャナとして動作させる場合、制御部８の制御によって、画像読み取り部２にセットされた原稿を電子的に読み取り、読み取った原稿の画像データをメモリ６ａに記憶した後、ハードディスク１２に記憶する。その後、制御部８の制御によって、ハードディスク１２に記憶した画像データはメモリ６ａに送られ、操作部４で受付けた送信先へ通信部１０又はＩ／Ｆ部１１から送信される。画像データの送信先としては、内部ネットワークＮ１内のパソコン３２、外部ネットワークＮ２のパソコン３２、又は携帯端末４０を指定することが可能である。また、ファックスモードの場合は、スキャンモードとほぼ同様の処理が行われるが、画像データの送信先としてｉＦＡＸ機３４を指定することが可能である。
【００４６】
図２は携帯端末（データ記憶装置）４０の構成例を示すブロック図である。携帯端末４０は、例えば携帯電話であり、液晶表示パネルなどを有する表示部４３と、数字キー及び通話キーなどを有する操作部４４と、電波を用いた通話などの通信を行う通信部４５と、赤外線を用いたデータ通信を行うＩ／Ｆ部４６と、データを記憶する記憶部４２と、ＣＣＤなどを有する撮像部４７と、前記各部４２〜４７の制御を行う制御部４１とを備える。
【００４７】
記憶部４２には、撮像部４７で撮像した画像データ、通信部４５又はＩ／Ｆ部４６で受信した画像データ又は文書データ、操作部４４から入力した文書データなどのデータが記憶されている。
【００４８】
携帯端末４０は、データを記憶する記憶部４２を有するデータ記憶装置として動作し、複合機１は、携帯端末４０とデータを送受信し、データに行う処理の選択を操作部４などで受付け、選択された処理をデータに対して行うデータ処理装置として動作する。また、複合機１の制御部８は、携帯端末４０の動作状態又は記憶部４２の使用状態を判別する判別手段、及び、判別した動作状態又は使用状態に基づいて、データに行う処理を仮選択する仮選択手段として動作する。制御部８は、例えばＩ／Ｆ部１１を介して携帯端末４０とデータを送受信し、例えば通話中又は待機中などの携帯端末４０の動作状態を判別したり、記憶部４２の空き容量を判別したり、記憶されているデータの種類（テキストデータ、ＪＰＥＧ（Joint Photographic Experts Group）データ、ＰＤＦ（Portable Document Format）データなど）を判別する。また、制御部８は、判別した前記動作状態又は前記使用状態に基づいて、携帯端末４０から受信したデータに処理を行う受信データ処理、又は、処理を行ったデータを携帯端末４０へ送信する送信データ処理を仮選択する。
【００４９】
例えば、制御部８は、携帯端末４０が通話中の場合、複合機１とデータの送受信を行う可能性は低いため、複合機１内の各構成部を制御して、通常モードで待機する。また、制御部８は、携帯端末４０の記憶部４２に処理可能なデータが記憶されている場合、処理可能なデータが携帯端末４０から送信されてくる可能性が高いため、複合機１内の各構成部を制御して、データ受信処理モード（プリントモード）の準備をして待機する。また、制御部８は、携帯端末４０の記憶部４２に処理可能なデータが記憶されていない場合、複合機１から携帯端末４０へデータを送信する可能性が高いため、複合機１内の各構成部を制御して、データ送信処理モード（スキャンモード）の準備をして待機する。また、制御部８は、携帯端末４０が記憶部４２を備えていない場合、複合機１と携帯端末４０との間でデータ送受信を行う可能性が低いため、複合機１内の各構成部を制御して、コピーモードの準備をして待機する。このように、複合機１は、制御部８の制御により、選択される可能性の高いモードの準備をして待機する。
【００５０】
図３，４は、各モードの準備をして待機している場合の表示部４ｂの表示画面の一部の例を示す図である。図３（ａ）は通常モードの準備をして待機している場合の表示画面の一部４ｂ’の例であり、サイズが等しいコピーモードボタン５ａ、プリントモードボタン５ｂ、及びスキャンモードボタン５ｃが配置されている。
【００５１】
図３（ｂ）はコピーモードの準備をして待機している場合の表示画面の一部４ｂ’の例であり、サイズの大きいコピーモードボタン５ａと、サイズの小さいプリントモードボタン５ｂ及びスキャンモードボタン５ｃが配置されている。図３（ｂ）の例では、コピーモードボタン５ａのサイズが大きく、図３（ａ）の例と比べて、ユーザはコピーモードの選択を容易に行うことができる。
【００５２】
図４（ａ）はプリントモードの準備をして待機している場合の表示画面の一部４ｂ’の例であり、サイズの大きいプリントモードボタン５ｂと、サイズの小さいコピーモードボタン５ａ及びスキャンモードボタン５ｃが配置されている。図４（ａ）の例では、プリントモードボタン５ｂのサイズが大きく、図３（ａ）の例と比べて、ユーザはプリントモードの選択を容易に行うことができる。
【００５３】
図４（ｂ）はスキャンモードの準備をして待機している場合の表示画面の一部４ｂ’の例であり、サイズの大きいスキャンモードボタン５ｃと、サイズの小さいコピーモードボタン５ａ及びプリントモードボタン５ｂが配置されている。図４（ｂ）の例では、スキャンモードボタン５ｃのサイズが大きく、図３（ａ）の例と比べて、ユーザはスキャンモードの選択を容易に行うことができる。上述した図３，４の各画面は、制御部８によって変更される。
【００５４】
図５，６，７，８は、複合機１の画像処理の例を示すフローチャートである。携帯端末４０が複合機１の周辺に接近し、赤外線で通信が可能になった場合、複合機１の制御部８は、Ｉ／Ｆ部１１を介して携帯端末４０と通信を行い、携帯端末４０の状態を取得する（Ｓ１０）。携帯端末４０が通話中の場合（Ｓ１２：ＹＥＳ）、制御部８は、表示部４ｂに例えば図３（ａ）に示す画面表示を行うなど、通常モードで待機する（Ｓ３２）。その後、他の携帯端末４０が複合機１の周辺に接近した場合は、上述した説明と同様にして携帯端末４０の状態を取得する（Ｓ１０）。
【００５５】
通話中ではなく（Ｓ１２：ＮＯ）、携帯端末４０が記憶部４２などのメモリを備えており（Ｓ１４：ＹＥＳ）、記憶部４２に記憶されているデータの中に複合機１が処理可能（対応可能）なデータが存在する場合（Ｓ１６：ＹＥＳ）、制御部８は、プリントモード（携帯端末４０からのデータ受信モード）を仮選択（Ｓ１８）し、表示部４ｂに例えば図４（ａ）に示す画面表示を行うなど、プリントモードで待機する。また、メモリを備え（Ｓ１４：ＹＥＳ）、空き容量があるが、対応可能なデータが存在しない場合（Ｓ１６：ＮＯ）、制御部８は、スキャンモード（携帯端末へのデータ送信モード）を仮選択（Ｓ２２）し、表示部４ｂに例えば図４（ｂ）に示す画面表示を行うなど、スキャンモードで待機する。また、携帯端末４０がメモリを備えていない場合（Ｓ１４：ＮＯ）、制御部８は、コピーモードを仮選択（Ｓ２６）し、表示部４ｂに例えば図３（ｂ）に示す画面表示を行うなど、コピーモードで待機する。
【００５６】
操作部４でプリントモードが選択された場合（Ｓ２０：ＹＥＳ）、複合機１のＩ／Ｆ部１１と携帯端末４０のＩ／Ｆ部４６との間で通信準備を行う。携帯端末４０の制御部４１は、記憶部４２に記憶されているデータ中からプリント対象データの指定を操作部４４で受付けた場合（図６のＳ４０）、指定されたプリント対象データを記憶部４２から読出し、Ｉ／Ｆ部４６から送信する（Ｓ４２）。携帯端末４０から送信されたプリント対象データは、複合機１のＩ／Ｆ部１１で受信され（Ｓ４４）、制御部８の制御により、メモリ６ａ（又はハードディスク１２）に記憶される。制御部８は、受信したデータにエラーがあるか確認し、受信エラーなどがある場合（Ｓ４６：ＹＥＳ）、表示部４ｂにエラー表示を行い（Ｓ５０）、Ｉ／Ｆ部１１から携帯端末４０へ再送を要求する（Ｓ５２）。再送の要求をＩ／Ｆ部４６で受信した携帯端末４０の制御部４１は、プリント対象データを記憶部４２から読出してＩ／Ｆ部４６から送信する。受信エラーなどがない場合（Ｓ４６：ＮＯ）、複合機１の制御部８の制御により、受信したプリント対象データを画像形成部６でプリント処理し（Ｓ４８）、プリントが終了して前記受信したプリント対象データが消去可能になった場合、消去部１６を制御して前記プリント対象データを無効化する。
【００５７】
操作部４でスキャンモードが選択された場合（Ｓ２０：ＮＯ、Ｓ２４：ＹＥＳ）、操作部４でスキャン設定を受付け（図７のＳ６０）、原稿センサ２ｂにより原稿のセットを検出し（Ｓ６２：ＹＥＳ）、操作部４よりスタートキーが押下された（Ｓ６４：ＹＥＳ）場合、制御部８の制御により、画像読み取り部２で原稿の画像読取を行い（Ｓ６６）、読取った画像をメモリ６ａ（又はハードディスク１２）に記憶し、Ｉ／Ｆ部１１から携帯端末４０へ送信する（Ｓ６８）。複合機１から送信された画像データは、携帯端末４０のＩ／Ｆ部４６で受信され（Ｓ７０）、制御部４１の制御により、記憶部４２に記憶される。制御部４１は、受信したデータにエラーがあるか確認し、受信エラーなどがある場合（Ｓ７２：ＹＥＳ）、表示部４３にエラー表示を行い（Ｓ７４）、Ｉ／Ｆ部４６から複合機１へ再送を要求する（Ｓ７６）。再送の要求をＩ／Ｆ部１１で受信した複合機１の制御部８は、読取った画像データをメモリ６ａ（又はハードディスク１２）から読出してＩ／Ｆ部１１から送信する。受信エラーなどがない場合（Ｓ７２：ＮＯ）、携帯端末４０の制御部４１の制御により、受信した画像データの確認画面を表示部４３に表示する（Ｓ７８）。
【００５８】
操作部４でコピーモードが選択された場合（Ｓ２４：ＮＯ、Ｓ２８：ＹＥＳ）、操作部４でコピー設定を受付け（図８のＳ８０）、原稿センサ２ｂにより原稿のセットを検出し（Ｓ８２：ＹＥＳ）、操作部４よりスタートキーが押下された（Ｓ８４：ＹＥＳ）場合、制御部８の制御により、画像読み取り部２で原稿の画像読取を行い（Ｓ８６）、読取った画像を画像形成部６でプリントする（Ｓ８８）。読取原稿が残っている場合（Ｓ９０：ＹＥＳ）、制御部８の制御により、上述した読取（Ｓ８６）及びプリント（Ｓ８８）を同様に実行し、読取原稿がなくなった場合（Ｓ９０：ＮＯ）、プリントが完了する。
【００５９】
コピーモードが選択されない場合（Ｓ２８：ＮＯ）、又は、図６，７，８の処理が終了した場合、携帯端末４０が複合機１から離れるなどして、複合機１と携帯端末４０との通信が途絶えた場合（Ｓ３０：ＹＥＳ）、制御部８は、表示部４ｂに例えば図３（ａ）に示す画面表示を行うなど、通常モードで待機する（Ｓ３２）。なお、携帯端末４０が複合機１から離れずに、複合機１と携帯端末４０との通信が続いている場合（Ｓ３０：ＮＯ）、Ｓ２０にもどる。
【００６０】
上述した実施の形態において、制御部８により、携帯端末４０からデータを受信した場合、受信データ処理（プリントモード）を仮選択することも可能である。また、制御部８により、受信データ処理（プリントモード）を仮選択した後、所定時間以内に携帯端末４０からデータを受信しない場合、受信データ処理に代えて送信データ処理（スキャンモード）を仮選択することも可能である。また、制御部８により、受信データ処理（プリントモード）を仮選択した後に、画像読み取り部（読取手段）２の原稿センサ（検出手段）２ｂが原稿を検出した場合、受信データ処理ではなく送信データ処理（スキャンモード）を仮選択することも可能である。
【００６１】
また、携帯端末４０は、携帯電話に限定はされず、ＰＤＡ（Personal Digital Assistant）又はノート型コンピュータなど任意の携帯端末装置を用いることが可能である。また、Ｉ／Ｆ部１１、４６は、赤外線通信に限定はされず、ＩＥＥＥ８０２．１１ｂ又はＢｌｕｅｔｏｏｔｈなどの任意の無線通信を用いることが可能である。
【図面の簡単な説明】
【００６２】
【図１】本発明に係る複合機を含む通信ネットワークの構成例を示すブロック図である。
【図２】携帯端末の構成例を示すブロック図である。
【図３】各モードの準備をして待機している場合の表示部の表示画面の一部の例を示す図である。
【図４】各モードの準備をして待機している場合の表示部の表示画面の一部の例を示す図である。
【図５】複合機の画像処理の例を示すフローチャートである。
【図６】複合機の画像処理の例を示すフローチャートである。
【図７】複合機の画像処理の例を示すフローチャートである。
【図８】複合機の画像処理の例を示すフローチャートである。
【符号の説明】
【００６３】
１  複合機
２  画像読み取り部
４  操作部
６  画像形成部
８  制御部
１０  通信部
１１  Ｉ／Ｆ部
１２  ハードディスク
１４  管理部
１６  消去部
３２  パソコン
３４  ｉＦＡＸ機
４０  携帯端末
４１  制御部
４２  記憶部
４３  表示部
４４  操作部
４５  通信部
４６  Ｉ／Ｆ部
４７  撮像部
Ｎ１  内部ネットワーク
Ｎ２  外部ネットワーク
【図１】
2006072537.tif 000003
【図２】
2006072537.tif 000004
【図３】
2006072537.tif 000005
【図４】
2006072537.tif 000006
【図５】
2006072537.tif 000007
【図６】
2006072537.tif 000008
【図７】
2006072537.tif 000009
【図８】
2006072537.tif 000010